(57)【要約】      （修正有）【課題】放射素子（受信用ホイップアンテナ）とグランド素子（グランドホイップアンテナ）との両方の長さを同時に調整可能とする。【解決手段】アンテナ装置のアンテナ本体１４は、長さが伸縮自在な受信用ホイップアンテナ６０と、この受信用ホイップアンテナ６０に近接して並列配置され、長さが伸縮自在なグランドホイップアンテナ７０と、受信用ホイップアンテナ６０の長さとグランドホイップアンテナ７０の長さとを同時に調整可能な長さ調整機構８０と、を備える。【選択図】図２
2009194781.tif 000002
【特許請求の範囲】
【請求項１】
長さが伸縮自在な受信用ホイップアンテナと、
該受信用ホイップアンテナに近接して並列配置され、長さが伸縮自在なグランドホイップアンテナと、
前記受信用ホイップアンテナの長さと前記グランドホイップアンテナの長さとを同時に調整可能な長さ調整機構と、
を備えたことを特徴とするアンテナ装置。
【請求項２】
前記受信用ホイップアンテナと前記グランドホイップアンテナとは基板から延在しており、
前記基板は信号パターンとグランドパターンとを有し、
前記受信用ホイップアンテナは前記信号パターンに電気的に接続され、前記グランドホイップアンテナは前記グランドパターンに電気的に接続されている、ことを特徴とする請求項１に記載のアンテナ装置。
【請求項３】
前記受信用ホイップアンテナおよび前記グランドホイップアンテナの各々は、
前記基板に固定された基板固定部と、
該基板固定部に回動自在に取り付けられた基部と、
該基部から延在して伸縮される伸縮部と、
該伸縮部の先端に設けられた先端部と
を有し、
前記長さ調整機構は、
前記受信用ホイップアンテナおよび前記グランドホイップアンテナの前記基部に取り付けられたストッパと、
前記受信用ホイップアンテナおよび前記グランドホイップアンテナの前記先端部に取り付けられた先端保持部と、
を有する、請求項２に記載のアンテナ装置。
【発明の詳細な説明】
【技術分野】
【０００１】
本発明は、アンテナ装置に関し、特に、液晶パネルなどを兼ね備えたテレビジョン受信機や、パーソナルコンピュータやゲーム機等のＵＳＢ（Universal Serial Bus）端子に差し込むタイプのテレビジョン受信機に用いられるアンテナ装置に関する。
【背景技術】
【０００２】
液晶パネルなどを兼ね備えたテレビジョン受信機や、パーソナルコンピュータのＵＳＢ端子に差し込むタイプのテレビジョン受信機に於いては、受信機器やパーソナルコンピュータなどの液晶表示装置から発せられるノイズが受信アンテナに入り込むことがある。そのため、受信アンテナで受信した受信信号の品質が劣化するという問題が発生している。したがって、機器本体から発生するノイズを受信するのをできだけ低減できる、受信アンテナが望まれている。
【０００３】
通常、上記テレビジョン受信機に用いられる受信アンテナ（アンテナ装置）としては、１本のホイップアンテナが用いられている。ホイップアンテナは、無指向性モノポールアンテナであって、その長さが伸縮できるように構成されている。
【０００４】
しかしながら、このホイップアンテナは、上述した機器本体から発生するノイズを受信するのを低減できる様な機能を兼ね備えてはいない。
【０００５】
なお、先行技術文献として、無給電素子付加による指向性制御を行うことで放射効率の向上を行うことができる無給電素子付きアンテナ装置が知られている（例えば、特許文献１参照）。この特許文献１に開示された無給電素子付きアンテナ装置は、放射器と、この放射器に近接して設けられた無給電素子とを備えている。無給電素子は、放射器の放射素子より０．０１λ〜０．１λ長い。無給電素子は、放射素子より０．０１λ〜０．１λ間隔離して配置されている。
【０００６】
【特許文献１】特開２００２−２２３１０７号公報
【発明の開示】
【発明が解決しようとする課題】
【０００７】
周知のように、ホイップアンテナは、携行に便利なように、その長さを伸縮できるようになっている。
【０００８】
上述した機器本体から発生するノイズを受信するのを低減するために、特許文献１に開示されているように、ホイップアンテナに近接して無給電素子を配置して、アンテナ装置の指向性を制御することが考えられる。
【０００９】
その場合、ホイップアンテナは、その長さを伸縮できるので、そのホイップアンテナのように無給電素子もその長さを伸縮しなければならない。すなわち、無給電素子もホイップアンテナとして構成して、その長さを伸縮できるようにする必要がある。ここでは、２つのホイップアンテナを区別するために、電波を受信するホイップアンテナを受信用ホイップアンテナ（放射用ホイップアンテナ）と呼び、グランド素子として使用されるホイップアンテナをグランドホイップアンテナと呼ぶことにする。とにかく、受信用ホイップアンテナとグランドホイップアンテナとの両方の長さを揃える（調整する）必要がある。
【００１０】
しかしながら、グランドホイップアンテナを受信用ホイップアンテナの近接に単に配置したアンテナ装置では、それら両方の長さを揃える（調整する）ことが困難である。
【００１１】
したがって、本発明の課題は、放射素子（受信用ホイップアンテナ）とグランド素子（グランドホイップアンテナ）との両方の長さを同時に調整可能な、アンテナ装置を提供することにある。
【課題を解決するための手段】
【００１２】
本発明によれば、長さが伸縮自在な受信用ホイップアンテナ（６０）と、この受信用ホイップアンテナに近接して並列配置され、長さが伸縮自在なグランドホイップアンテナ（７０）と、受信用ホイップアンテナ（６０）の長さとグランドホイップアンテナ（７０）の長さとを同時に調整可能な長さ調整機構（８０）と、を備えたことを特徴とするアンテナ装置（１０）が得られる。
【００１３】
上記アンテナ装置（１０）において、受信用ホイップアンテナ（６０）とグランドホイップアンテナ（７０）とは基板（４０）から延在しており、基板（４０）は信号パターン（４２）とグランドパターン（４４）とを有してよい。この場合、受信用ホイップアンテナ（６０）は信号パターン（４２）に電気的に接続され、グランドホイップアンテナ（７０）はグランドパターン（４４）に電気的に接続されてる。また、受信用ホイップアンテナ（６０）およびグランドホイップアンテナ（７０）の各々は、基板（４０）に固定された基板固定部（６２；７２）と、基板固定部に回動自在に取り付けられた基部（６４；７４）と、基部から延在して伸縮される伸縮部（６６；７６）と、伸縮部の先端に設けられた先端部（６８；７８）とから構成されてよい。この場合、長さ調整機構（８０）は、例えば、受信用ホイップアンテナ（６０）およびグランドホイップアンテナ（７０）の基部（６４；７４）に取り付けられたストッパ（８２）と、受信用ホイップアンテナ（６０）およびグランドホイップアンテナ（７０）の先端部（６８；７８）に取り付けられた先端保持部（８４）と、から構成されてよい。
【００１４】
尚、上記括弧内の符号は、本発明の理解を容易にするために付したものであり、一例にすぎず、これらに限定されないのは勿論である。
【発明の効果】
【００１５】
本発明では、受信用ホイップアンテナに近接して並列にグランドホイップアンテナを備え、かつ、受信用ホイップアンテナの長さとグランドホイップアンテナの長さを同時に調整可能な長さ調整機構を備えているので、受信用ホイップアンテナの長さとグランドホイップアンテナの長さを同時に調整することができる。
【発明を実施するための最良の形態】
【００１６】
以下、図面を参照して、本発明の実施の形態について詳細に説明する。
【００１７】
図１を参照して、本発明の一実施の形態に係るアンテナ装置１０について説明する。図１はアンテナ装置１０をチューナ部２０と共に示す斜視図である。図示のアンテナ装置１０は、テレビジョン信号を受信するためのテレビジョン受信用アンテナであり、ＵＳＢ端子に接続されるタイプのものである。
【００１８】
図１に示すように、アンテナ装置１０は、チューナ部２０の上部２０ａに回動自在に取り付けられたアンテナ保持部１２と、このアンテナ保持部１２の端部に角度可変に取り付けられたアンテナ本体１４とを有する。チューナ部２０はコネクタ２２を有し、このコネクタ２２はＵＳＢ端子に電気的に接続される。また、アンテナ装置１０未使用や持ち運ぶ場合には、保護キャップ３０をコネクタ２２に取り付けられるようになっている。
【００１９】
図２はアンテナ装置１０のアンテナ本体１４を示す平面図で、（Ａ）はアンテナ本体１４を伸ばした状態を示す図であり、（Ｂ）はアンテナ本体１４を縮めた状態を示す図である。
【００２０】
図３はアンテナ装置１０のアンテナ本体１４を示す底面図で、（Ａ）はアンテナ本体１４を伸ばした状態を示す図であり、（Ｂ）はアンテナ本体１４を縮めた状態を示す図である。
【００２１】
図４はアンテナ装置１０のアンテナ本体１４を示す右側面図で、（Ａ）はアンテナ本体１４を伸ばした状態を示す図であり、（Ｂ）はアンテナ本体１４を縮めた状態を示す図である。
【００２２】
図５はアンテナ装置１０のアンテナ本体１４を上面側からみた斜視図で、（Ａ）はアンテナ本体１４を伸ばした状態を示す図であり、（Ｂ）はアンテナ本体１４を縮めた状態を示す図である。
【００２３】
図６はアンテナ装置１０のアンテナ本体１４を底面側からみた斜視図で、（Ａ）はアンテナ本体１４を伸ばした状態を示す図であり、（Ｂ）はアンテナ本体１４を縮めた状態を示す図である。
【００２４】
アンテナ本体１４は、アンテナ保持部１２内に収容された基板４０を有する。図２に示されるように、基板４０の上面４０ａには、信号パターン４２とグランドパターン４４とが形成されている。
【００２５】
図３および図４に示されるように、基板４０の下面（底面）４０ｂからは外円筒部４５が突出している。この外円筒部４５は、アンテナ保持部１２（図１）からチューナ部２０（図１）に向けて延在している。図示はしないが、チューナ部２０からアンテナ保持部１２へは、外円筒部４６の内壁と回転可能に嵌合される外壁を持つ内円筒部が突出している。そのため、アンテナ保持部１２（基板４０）は、チューナ部２０の上部２０ａ上で、この外円筒部４５の中心軸（回転軸）の周りに回動自在に配置されている。
【００２６】
図３に示されるように、基板４０の下面（底面）４０ｂ上には、信号板金接点４６とグランド板金接点４８とが形成されている。信号板金接点４６は、基板４０の（底面）４０ｂから上面４０ａへ突出する信号用突起４６１を持ち、グランド板金接点４８も、基板４０の（底面）４０ｂから上面４０ａへ突出するグランド用突起４８１を持つ。信号用突起４６１は、基板４０の上面４０ａで信号パターン４２と半田付けされ、電気的に接続される。グランド用突起４８１は、基板４０の上面４０ａ上でグランドパターン４４と半田付けされ、電気的に接続される。
【００２７】
図２に示されるように、信号パターン４２は、基板４０の上面４０ａの略中央にコネクタ信号端子４２１を持つ。一方、グランドパターン４４は、このコネクタ信号端子４２１を囲むように、４つのコネクタグランド端子４４１を持つ。
【００２８】
アンテナ本体１４は、長さが伸縮自在な受信用ホイップアンテナ６０と、この受信用ホイップアンテナ６０に近接して並列配置され、長さが伸縮自在なグランドホイップアンテナ７０と、受信用ホイップアンテナ６０の長さとグランドホイップアンテナ７０の長さを同時に調整可能な長さ調整機構８０とを備える。図示の実施の形態では、受信用ホイップアンテナ６０とグランドホイップアンテナ７０との間の間隔は約１０ｍｍである。
【００２９】
受信用ホイップアンテナ６０とグランドホイップアンテナ７０とは基板４０から延在している。前述したように、基板４０は信号パターン４２とグランドパターン４４とを有する。受信用ホイップアンテナ６０は、後述するように、信号パターン４２と電気的に接続され、グランドホイップアンテナ７０は、後述するように、グランドパターン４４と電気的に接続される。
【００３０】
受信用ホイップアンテナ６０は、基板４０の底面４０ｂの信号板金接点４６に固定された受信用基板固定部６２と、この受信用基板固定部６２に回動自在に取り付けられた受信用基部６４と、この受信用基部６４から延在して伸縮される受信用伸縮部６６と、この受信用伸縮部６６の先端に設けられた受信用先端部６８とを有する。受信用基板固定部６２は、信号板金接点４６に半田付けされる。これにより、受信用ホイップアンテナ６０は、信号半金接点４６および信号用突起４６１を介して、信号パターン６２と電気的に接続される。受信用基部６４は、受信用基板固定部６２の先端部に、その角度を段階的に調整可能にように、枢支されている。
【００３１】
グランドホイップアンテナ７０は、基板４０の底面４０ｂのグランド板金接点４８に固定されたグランド基板固定部７２と、このグランド基板固定部７２に回動自在に取り付けられたグランド基部７４と、このグランド基部７４から延在して伸縮されるグランド伸縮部７６と、このグランド伸縮部７６の先端に設けられたグランド先端部７８とを有する。グランド基板固定部７２は、グランド板金接点４８に半田付けされる。これにより、グランドホイップアンテナ７０は、グランド板金接点４８およびグランド用突起４８１を介して、グランドパターン６４と電気的に接続される。グランド基部７４は、グランド基板固定部７２の先端部に、その角度を段階的に調整可能なように、枢支されている。
【００３２】
長さ調整機構８０は、受信用ホイップアンテナ６０の受信用基部６４およびグランドホイップアンテナ７０のグランド基部７４の先端部に取り付けられた樹脂製のストッパ８２と、受信用ホイップアンテナ６０の受信用先端部６８およびグランドホイップアンテナ７０のグランド先端部７８に取り付けられた樹脂製の先端保持部８４と、から構成されている。
【００３３】
図示の例では、ストッパ８２は、受信用基部６４およびグランド基部７４が貫通する一対の貫通孔（図示せず）を持ち、接着剤で受信用基部６４およびグランド基部７４に固着されている。また、先端保持部８４は、受信用先端部６８およびグランド先端部７８が挿入される一対の挿入孔（図示せず）を持ち、接着剤で受信用先端部６８およびグランド先端部７８に固着されている。
【００３４】
したがって、操作者が先端保持部８４を持ってストッパ８２から離れるように引抜くことにより、アンテナ本体１４を伸ばすことができる。逆に、操作者が先端保持部８４を持ってストッパ８２に近づくように押込むことにより、アンテナ本体１４を縮めることができる。
【００３５】
このように、本実施の形態に係るアンテナ装置１０では、アンテナ装置１０のアンテナ本体１４が、受信用ホイップアンテナ６０の他にグランドホイップアンテナ７０をも備えているので、アンテナ装置１０の指向性を変形（制御）して、機器本体から発生するノイズを受信するのを低減させることができる。また、アンテナ装置１０のアンテナ本体１４は、長さ調整機構８０をも備えているので、受信用ホイップアンテナ６０の長さとグランドホイップアンテナ７０の長さとを同時に調整できるという利点がある。
【００３６】
図７は、本実施の形態に係るアンテナ装置１０をゲーム機のアンテナとして使用したときの、ノイズブロック効果を示す図である。図７において、縦軸は受信レベル［ｄＢｕＶ］を示し、横軸は周波数［Ｈｚ］を示す。図７は、アンテナ装置１０で受信した電波の受信レベルをスペクトルアナライザで解析したものである。
【００３７】
図７において、ＬＡはゲーム機の電源がオフ状態のときのアンテナ装置１０の受信レベルを示し、ＬＢはゲーム機の電源がオン状態のときの本実施の形態に係るアンテナ装置１０の受信レベルを示し、ＬＣはゲーム機の電源がオン状態のときの従来のアンテナ装置（すなわち、１本のホイップアンテナのみから成る）の受信レベルを示す。
【００３８】
図７から明らかなように、本実施の形態に係るアンテナ装置１０の受信レベルＬＢが、従来のアンテナ装置の受信レベルＬＣに比較して、低減していることが分かる。
【００３９】
以上、本発明について好ましい実施の形態によって説明してきたが、本発明は上述した実施の形態に限定しないのは勿論である。例えば、上記実施の形態では、長さ調整機構８０がストッパ８２と先端保持部８４とから構成されているが、このような構成に限定されず、種々の構成のものを採用しても良いのは勿論である。
【図面の簡単な説明】
【００４０】
【図１】本発明の一実施形態に係るアンテナ装置をチューナ部と共に示す斜視図である。
【図２】図１に示したアンテナ装置のアンテナ本体を示す平面図で、（Ａ）はアンテナ本体を伸ばした状態を示す図であり、（Ｂ）はアンテナ本体を縮めた状態を示す図である。
【図３】図１に示したアンテナ装置のアンテナ本体を示す底面図で、（Ａ）はアンテナ本体を伸ばした状態を示す図であり、（Ｂ）はアンテナ本体を縮めた状態を示す図である。
【図４】図１に示したアンテナ装置のアンテナ本体を示す右側面図で、（Ａ）はアンテナ本体を伸ばした状態を示す図であり、（Ｂ）はアンテナ本体を縮めた状態を示す図である。
【図５】図１に示したアンテナ装置のアンテナ本体を上面側からみた斜視図で、（Ａ）はアンテナ本体を伸ばした状態を示す図であり、（Ｂ）はアンテナ本体を縮めた状態を示す図である。
【図６】図１に示したアンテナ装置のアンテナ本体を底面側からみた斜視図で、（Ａ）はアンテナ本体を伸ばした状態を示す図であり、（Ｂ）はアンテナ本体を縮めた状態を示す図である。
【図７】図１に示したアンテナ装置をゲーム機のアンテナとして使用したときの、ノイズブロック効果を示す図である。
【符号の説明】
【００４１】
１０    アンテナ装置
１２    アンテナ保持部
１４    アンテナ本体
２０    チューナ部
２０ａ    上部
２２    コネクタ
３０    保護キャップ
４０    基板
４０ａ    上面
４０ｂ    下面（底面）
４２    信号パターン
４２１    コネクタ信号端子
４４    グランドパターン
４４１    グランドコネクタ端子
４５    外円筒部
４６    信号板金接点
４６１    信号用突起
４８    グランド板金接点
４８１    グランド用突起
６０    受信用ホイップアンテナ（放射素子）
６２    受信用基板固定部
６４    受信用基部
６６    受信用伸縮部
６８    受信用先端部
７０    グランドホイップアンテナ（グランド素子）
７２    グランド基板固定部
７４    グランド基部
７６    グランド伸縮部
７８    グランド先端部
８０    長さ調整機構
８２    ストッパ
８４    先端保持部
【図１】
2009194781.tif 000003
【図２】
2009194781.tif 000004
【図３】
2009194781.tif 000005
【図４】
2009194781.tif 000006
【図５】
2009194781.tif 000007
【図６】
2009194781.tif 000008
【図７】
2009194781.tif 000009